(57)【要約】【課題】参列者側から見て多数の供花の花冠で飾られた華やかな花祭壇を、高い技術と手間を要することなく容易に作る方法を提供すること。【解決手段】祭壇用什器は、花の茎を保持するための所定の保持体を載せたベースを保持するベース保持部と、前記祭壇用什器を水平面に置載した場合に、前記ベース保持部を当該水平面に対して所定の角度だけ傾けて固定する固定部とを備え、前記固定部は、複数の前記ベース保持部を階段状に上下等間隔で配置し固定している。【選択図】図１
2017104235.tif 000002
【特許請求の範囲】
【請求項１】
花を活ける祭壇用什器において、
花の茎を保持するための所定の保持体を載せたベースを保持するベース保持部と、
前記祭壇用什器を水平面に置載した場合に、前記ベース保持部を当該水平面に対して所定の角度だけ傾けて固定する固定部と、
を備え、
前記固定部は、
複数の前記ベース保持部を階段状に上下等間隔で配置し固定している、
祭壇用什器。
【発明の詳細な説明】
【技術分野】
【０００１】
本発明は、祭壇用什器に関する。
【背景技術】
【０００２】
従来から、葬祭用の祭壇には多数の供花を用いた花祭壇が多く利用されている。一般的に花祭壇は階段の形状をなしており、高い段よりも低い段の方が参列者側からの距離が短い。
また、花祭壇の各段には浅い皿形状のベースが複数並べられており、当該ベース上には、略直方体形状の発泡樹脂からなる保持体が、当該ベースと一対となって載せられている。また、当該保持体には供花用の水が染み込ませてあり、複数の供花が挿し込まれて保持されている。
【０００３】
このとき、参列者が花祭壇に向ける目線と、前記保持体の上面とは、略平行になるため、単純に前記保持体へ供花を差し込んだ場合には、参列者からは花祭壇の各段の最前列の供花の側面しか見えないこととなってしまう。
【０００４】
このため、前記参列者から見える花祭壇の外観を華やかにするために、各供花の茎を曲げて花冠を参列者側へ向ける。また、花祭壇の各段の供花の夫々が参列者の視界に入るようにするために、参列者側から遠くなるに連れて供花の茎の長さが長くなるように前記保持体への供花の差し込みが行われる。
これにより、参列者から見える花祭壇全体の外観は、多数の供花の花冠で飾られた華やかなものとなる。
【先行技術文献】
【特許文献】
【０００５】
【特許文献１】特開２００４−７３５５１号公報
【発明の概要】
【発明が解決しようとする課題】
【０００６】
しかしながら、供花の茎を曲げて花冠を参列者側に向ける作業は、高い技術と手間が必要となる。また、茎を曲げることができる供花の種類も限られる。さらに、供花の茎を曲げて花冠を参列者側に向ける作業を考慮して花祭壇全体のデサインを行うことは困難を伴う。
【０００７】
本発明は、このような状況に鑑みてなされたものであり、参列者側から見て多数の供花の花冠で飾られた華やかな花祭壇を、高い技術と手間を要することなく容易に作る方法を提供することを目的とする。
【課題を解決するための手段】
【０００８】
上記目的を達成するため、本発明の一態様の祭壇用什器は、
花の茎を保持するための所定の保持体を載せたベースを保持するベース保持部と、
前記祭壇用什器を水平面に置載した場合に、前記ベース保持部を当該水平面に対して所定の角度だけ傾けて固定する固定部と、
を備え、
前記固定部は、
複数の前記ベース保持部を階段状に上下等間隔で配置し固定している。
【発明の効果】
【０００９】
本発明によれば、参列者側から見て多数の供花の花冠で飾られた華やかな花祭壇を、高い技術と手間を要することなく容易に作る方法を提供することができる。
【図面の簡単な説明】
【００１０】
【図１】本発明の一実施形態である祭壇用什器の全体外観図である。
【図２】図１の祭壇用什器がベースを保持した場合の全体外観図である。
【図３】図１の祭壇用什器の参列者側からの外観図である。
【図４】図１の祭壇用什器がベースを保持した場合の参列者側からの外観図である。
【図５】図１の祭壇用什器の側面外観図である。
【図６】図１の祭壇用什器がベースを保持した場合の側面外観図である。
【図７】図１の祭壇用什器と既存の祭壇用具の段組みとの外観比較図である。
【図８】図１の祭壇用什器を用いた花祭壇の一例を示す図である。
【図９】図１の祭壇用什器を用いた花祭壇の一例を示す図である。
【図１０】図１の祭壇用什器を用いた花祭壇の一例を示す図である。
【図１１】図１の祭壇用什器を用いた花祭壇の一例を示す図である。
【図１２】図１の祭壇用什器を用いた花祭壇の一例を示す図である。
【図１３】図１の祭壇用什器を用いた花祭壇の一例を示す図である。
【図１４】図１の祭壇用什器を用いた花祭壇の一例を示す図である。
【図１５】図１の祭壇用什器を用いた花祭壇の一例を示す図である。
【図１６】図１の祭壇用什器を用いた花祭壇の一例を示す図である。
【図１７】図１の祭壇用什器を用いた花祭壇の一例を示す図である。
【図１８】図１の祭壇用什器を用いた花祭壇の一例を示す図である。
【図１９】図１の祭壇用什器を用いた花祭壇の一例を示す図である。
【発明を実施するための形態】
【００１１】
図１は、本発明の一実施形態である祭壇用什器の全体外観図である。
【００１２】
図１に示すように、本発明の一実施形態である祭壇什器は、参列者側から奥に向かう方向に登っていくような５段の階段形状をなしている。また、各段の夫々は、略長方形の枠で構成され、当該祭壇什器を水平面に置載した際に水平に対し所定の角度（例えば３０度）を維持した状態で固定されている。なお、以下の説明では、特にことわりがない限り、祭壇什器は、水平面に置載されているものとする。なお、隣接する２つの段の間には、所定の間隔が設けられている。
【００１３】
なお、本発明の一実施形態である祭壇用什器の具体的寸法は図１に示すとおりである。
これにより、本発明の一実施形態である祭壇什器は、所定の供花用の保持体を載せるための皿形状のベース（以下、「ベース」と呼ぶ。）の夫々を、所定の角度と間隔とを維持した状態で５個保持することができる。
【００１４】
図２は、図１の祭壇用什器がベースを保持した場合の全体外観図である。
【００１５】
図２に示すように、当該祭壇用什器の各段の夫々には、所定の供花用の保持体を載せたベースを保持させる。
これにより、参列者側から当該保持体の上面が見えることになるため、当該保持体の上面に、図示しない複数の供花を単純に差し込むだけで、参列者は当該複数の供花の花冠の夫々を視認することができる。
これにより、前記参列者から見える花祭壇の外観を華やかにするために、各供花の茎を曲げて花冠を参列者側へ向けたり、花祭壇の各段の供花の夫々が参列者の視界に入るようにするために、参列者側から遠くなるに連れて供花の茎の長さが長くなるように保持体への供花の差し込みを行うような高い技術と手間を必要とすることなく、参列者側から見て多数の供花の花冠で飾られた華やかな花祭壇を作ることができる。
なお、図１の祭壇用什器がベースを保持した場合の全体外観における他の特徴としては、図２に示すとおりである。
【００１６】
図３は、図１の祭壇用什器の参列者側からの外観図である。
【００１７】
図３に示すように、各段の夫々は、水平に対し所定の角度を維持した状態で固定されており、かつ、隣接する２つの段の間には、所定の間隔が設けられている。これにより、参列者側から見た場合に、隣接する段は重ならない。
なお、図１の祭壇用什器の参列者側からの外観における他の特徴としては、図３に示すとおりである。
【００１８】
図４は、図１の祭壇用什器がベースを保持した場合の参列者側からの外観図である。
【００１９】
図４に示すように、各段の夫々にベースを保持させた状態であっても、水平に対し所定の角度を維持した状態で固定されており、かつ、隣接する２つの段の間には、所定の間隔が設けられているため、参列者側から見た場合に、隣接する段の保持体の上面は重ならない。
これにより、図示しない供花を所定の保持体に単純に差し込むだけで、供花の花冠の夫々を参列者側から視認することができる。
なお、当該所定の角度が、水平に対して４５度を超えない限り、保持体に含んだ水分がベースからこぼれ落ちることはない。
なお、図１の祭壇用什器がベースを保持した場合の参列者側からの外観における他の特徴としては、図４に示すとおりである。
【００２０】
図５は、図１の祭壇用什器の側面外観図である。
【００２１】
図５に示すように、各段の夫々は互いに略平行となるように一定間隔で固定されている。
なお、図１の祭壇用什器の側面外観における他の特徴としては、図５に示すとおりである。
【００２２】
図６は、図１の祭壇用什器がベースを保持した場合の側面外観図である。
【００２３】
図６に示すように、各段がベースを保持した状態でも、各保持体の夫々は互いに略平行となるように一定間隔で固定されている。
このため、参列者側から見た場合に、供花の花冠が段ごとに途切れることなく連続した状態で視認することができる。
なお、図１の祭壇用什器がベースを保持した場合の側面外観における他の特徴としては、図６に示すとおりである。
【００２４】
図７は、図１の祭壇用什器と既存の祭壇用具の段組みとの外観比較図である。
【００２５】
図７に示すように、既存の祭壇用具の段組みでは、参列者側から保持体の上面を視認することができない。
このため、保持体に供花を差し込んだ場合に、供花の花冠の夫々を参列者側から視認することができない。
一方、図１の祭壇用什器は、上述したように、参列者側から保持体の上面を視認することができるため、保持体に供花を差し込んだ場合に、供花の花冠の夫々を参列者側から視認することができる。
なお、図１の祭壇用什器と既存の祭壇用具の段組みとの外観比較における他の特徴としては、図７に示すとおりである。
【００２６】
図８は、図１の祭壇用什器を用いた花祭壇の一例を示す図である。
【００２７】
図８に示すように、花祭壇に図１の祭壇用什器を用いることにより、容易に生花を華やかに飾ることができる。
なお、図１の祭壇用什器を用いた花祭壇の一例における他の特徴としては、図８に示すとおりである。
【００２８】
図９は、図１の祭壇用什器を用いた花祭壇の一例を示す図である。
【００２９】
図９に示すように、花祭壇に図１の祭壇用什器を用いることにより、容易に生花を華やかに飾ることができる。
なお、図１の祭壇用什器を用いた花祭壇の一例における他の特徴としては、図９に示すとおりである。
【００３０】
図１０は、図１の祭壇用什器を用いた花祭壇の一例を示す図である。
【００３１】
図１０に示すように、花祭壇に図１の祭壇用什器を用いることにより、容易に生花を華やかに飾ることができる。
なお、図１の祭壇用什器を用いた花祭壇の一例における他の特徴としては、図１０に示すとおりである。
【００３２】
図１１は、図１の祭壇用什器を用いた花祭壇の一例を示す図である。
【００３３】
図１１に示すように、花祭壇に図１の祭壇用什器を用いることにより、容易に生花を華やかに飾ることができる。
なお、図１の祭壇用什器を用いた花祭壇の一例における他の特徴としては、図１１に示すとおりである。
【００３４】
図１２は、図１の祭壇用什器を用いた花祭壇の一例を示す図である。
【００３５】
図１２に示すように、花祭壇に図１の祭壇用什器を用いることにより、容易に生花を華やかに飾ることができる。
なお、図１の祭壇用什器を用いた花祭壇の一例における他の特徴としては、図１２に示すとおりである。
【００３６】
図１３は、図１の祭壇用什器を用いた花祭壇の一例を示す図である。
【００３７】
図１３に示すように、花祭壇に図１の祭壇用什器を用いることにより、容易に生花を華やかに飾ることができる。
なお、図１の祭壇用什器を用いた花祭壇の一例における他の特徴としては、図１３に示すとおりである。
【００３８】
図１４は、図１の祭壇用什器を用いた花祭壇の一例を示す図である。
【００３９】
図１４に示すように、花祭壇に図１の祭壇用什器を用いることにより、容易に生花を華やかに飾ることができる。
なお、図１の祭壇用什器を用いた花祭壇の一例における他の特徴としては、図１４に示すとおりである。
【００４０】
図１５は、図１の祭壇用什器を用いた花祭壇の一例を示す図である。
【００４１】
図１５に示すように、花祭壇に図１の祭壇用什器を用いることにより、容易に生花を華やかに飾ることができる。
なお、図１の祭壇用什器を用いた花祭壇の一例における他の特徴としては、図１５に示すとおりである。
【００４２】
図１６は、図１の祭壇用什器を用いた花祭壇の一例を示す図である。
【００４３】
図１６に示すように、花祭壇に図１の祭壇用什器を用いることにより、容易に生花を華やかに飾ることができる。
なお、図１の祭壇用什器を用いた花祭壇の一例における他の特徴としては、図１６に示すとおりである。
【００４４】
図１７は、図１の祭壇用什器を用いた花祭壇の一例を示す図である。
【００４５】
図１７に示すように、花祭壇に図１の祭壇用什器を用いることにより、容易に生花を華やかに飾ることができる。
なお、図１の祭壇用什器を用いた花祭壇の一例における他の特徴としては、図１７に示すとおりである。
【００４６】
図１８は、図１の祭壇用什器を用いた花祭壇の一例を示す図である。
【００４７】
図１８に示すように、花祭壇に図１の祭壇用什器を用いることにより、容易に生花を華やかに飾ることができる。
なお、図１の祭壇用什器を用いた花祭壇の一例における他の特徴としては、図１８に示すとおりである。
【００４８】
図１９は、図１の祭壇用什器を用いた花祭壇の一例を示す図である。
【００４９】
図１９に示すように、花祭壇に図１の祭壇用什器を用いることにより、容易に生花を華やかに飾ることができる。
なお、図１の祭壇用什器を用いた花祭壇の一例における他の特徴としては、図１９に示すとおりである。
【００５０】
以上、本発明の一実施形態について説明したが、本発明は、上述の実施形態に限定されるものではなく、本発明の目的を達成できる範囲での変形、改良等は本発明に含まれるものである。
【００５１】
以上まとめると、本発明が適用される祭壇用什器は、次のような技術を実現することが可能になる。
即ち、本発明が適用される祭壇用什器は、花の茎を保持するための所定の保持体を載せたベースを保持するベース保持部と、前記ベース保持部を所定の角度で固定する固定部と、を備えることができる。
【００５２】
なお、ここでいう所定の保持体は、特に限定されず、例えば、所定の規格に基づくものであってもよい。
また、固定部は、持ち運び用に変形させて収納できるようにすることもできる。
【００５３】
また、祭壇の作成は、葬儀場で１から行う方法だけではなく、工場等で一度供花の差し込みを含めて完成させたものを運送しやすい所定のユニット単位で分解し、ユニット毎に運送したものを葬儀場で再作成することもできる。これにより、葬儀場の現場において花祭壇の作成に要する時間を節約することができる。
【図１】
2017104235.tif 000003
【図２】
2017104235.tif 000004
【図３】
2017104235.tif 000005
【図４】
2017104235.tif 000006
【図５】
2017104235.tif 000007
【図６】
2017104235.tif 000008
【図７】
2017104235.tif 000009
【図８】
2017104235.tif 000010
【図９】
2017104235.tif 000011
【図１０】
2017104235.tif 000012
【図１１】
2017104235.tif 000013
【図１２】
2017104235.tif 000014
【図１３】
2017104235.tif 000015
【図１４】
2017104235.tif 000016
【図１５】
2017104235.tif 000017
【図１６】
2017104235.tif 000018
【図１７】
2017104235.tif 000019
【図１８】
2017104235.tif 000020
【図１９】
2017104235.tif 000021